(57)【特許請求の範囲】
【請求項１】
給水タンクと、ヒータを備えた湯沸かしタンクと、給水タンクと湯沸かしタンクとを連結する給水パイプと、コーヒー粉、紅茶葉等の原料をセットするバスケットと、湯沸かしタンク内の高温水をバスケット上方へ導く吐出パイプと、ヒータを制御して湯沸かしタンク内の水を沸かし後保温温度に維持する温度制御機構とを具備し、湯沸かしタンク内の高温水をバスケット内に導入してバスケット下部よりコーヒー、紅茶等を抽出する飲料抽出装置であって、上記温度制御機構が湯沸かしタンク内の高温水を高温状態から低温状態に予め設定された時間維持し、その後高温状態に復帰させる低温維持動作手段を備え、温度制御機構が沸かし後保温温度に維持された湯沸かしタンク内の高温水の保温動作を停止する保温停止手段を備え、更に保温停止中、又は低温維持動作手段中にかかわらず優先して高温状態に復帰させる高温復帰動作手段を備え、温度制御機構の保温停止手段と低温維持動作手段と高温復帰動作手段とを一つのスイッチボタンにて操作し、低温維持動作手段の点滅による高温状態への進行と、点灯による高温維持状態と、消灯による低温維持状態、並びに高温復帰動作手段とを一つのランプにて表示することを特徴とした飲料抽出装置。
【発明の詳細な説明】
【０００１】
【発明の属する技術分野】
本発明は、コーヒー、紅茶等の抽出を行う飲料抽出装置に関するものである。
【０００２】
【従来の技術】
従来、オフィス等でホットコーヒーや紅茶を抽出し飲料用として使用される飲料抽出装置は、前方上部に蓋付きの給水タンクを設け、後部にヒータを備えた湯沸かしタンクを設け、この給水タンクと湯沸かしタンクとを連結する給水パイプを設け、前面にコーヒー粉、紅茶葉等の原料をセットする漏斗状のバスケットを設け、湯沸かしタンク内の高温水をバスケット上方へ導く吐出パイプを設け、ヒータを制御して湯沸かしタンク内の水を沸かし後保温温度に維持する温度制御機構を設け、後部下端に電源供給の差込みプラグを設け、後部上方に電源スイッチを設けて、差込みプラグをコンセントに差し込み、電源スイッチを入れた後、給水タンクより水を入れ、湯沸かしタンク内を満水にし、ヒータにて湯沸かしタンク内の水を沸騰に近い状態まで沸かし、後高温の保温状態に維持して、使用時、給水タンク内に必要量の水を追加すると湯沸かしタンク内を高温水が給水タンク内に入れた水の量だけバスケット内に導入されて、バスケット下部よりコーヒー、紅茶等を抽出し、この抽出液をコップや貯蔵容器に入れていた。
【０００３】
【発明が解決しようとする課題】
しかしながら、この種の飲料抽出装置にあっては、不使用時、特に、オフィス等のアフターファイブには電源スイッチを切るかあるいは差込みプラグを抜いて帰宅するようにしていた。ところが次に使用しょうとしても湯沸かしタンク内の水が沸くまでの長時間全く使うことが出来ないという不便があった。
また、使用状態を維持したままで帰宅すれば、次に使用するときはすぐに使うことができる反面、一晩中電源をＯＮして高い温度に湯沸かしタンク内の水を保温しなければならないために、非常に無駄な電力を必要とするという問題点があった。
【０００４】
そこで、本発明はこのような従来の飲料抽出装置が有していた課題を解決したものであって、短い時間経過で再使用するときは、低温の保温状態にセットして電力の供給を低く抑え、長い時間経過で再使用するときは、高温の保温状態を停止して電力の供給を抑え、消費電力の削減をはかることができると共に簡単な操作にて各セットを作動させることができ、大幅なコストの低廉をはかることができることを目的とした飲料抽出装置を提供するにある。
【０００５】
【課題を解決するための手段】
上記目的を達成するために、本発明の飲料抽出装置は、給水タンクと、ヒータを備えた湯沸かしタンクと、給水タンクと湯沸かしタンクとを連結する給水パイプと、コーヒー粉、紅茶葉等の原料をセットするバスケットと、湯沸かしタンク内の高温水をバスケット上方へ導く吐出パイプと、ヒータを制御して湯沸かしタンク内の水を沸かし後保温温度に維持する温度制御機構とを具備し、湯沸かしタンク内の高温水をバスケット内に導入してバスケット下部よりコーヒー、紅茶等を抽出する飲料抽出装置であって、上記温度制御機構が湯沸かしタンク内の高温水を高温状態から低温状態に予め設定された時間維持し、その後高温状態に復帰させる低温維持動作手段を備え、温度制御機構が沸かし後保温温度に維持された湯沸かしタンク内の高温水の保温動作を停止する保温停止手段を備え、更に保温停止中、又は低温維持動作手段中にかかわらず優先して高温状態に復帰させる高温復帰動作手段を備え、温度制御機構の保温停止手段と低温維持動作手段と高温復帰動作手段とを一つのスイッチボタンにて操作し、低温維持動作手段の点滅による高温状態への進行と、点灯による高温維持状態と、消灯による低温維持状態、並びに高温復帰動作手段とを一つのランプにて表示する構成としている。
【０００６】
【発明の実施の形態】
以下、本発明の実施例について図に基づき説明する。
図中、図１は本発明実施例の斜視図、図２は本発明実施例の縦断面図、図３は本発明実施例の保温状態を示すフローチャート、図４は本発明実施例のランプの点灯、消灯状態を示すランプ操作図である。
飲料抽出装置１は特にオフィス用として用いられるものであって、蓋付きの給水タンク２と、ヒータ３を備えた湯沸かしタンク４と、給水タンク２と湯沸かしタンク４とを連結する給水パイプ５と、コーヒー粉、紅茶葉等の原料をセットする漏斗状のバスケット６と、湯沸かしタンク内の高温水をバスケット６上方へ導く吐出パイプ７と、ヒータ３を制御して湯沸かしタンク４内の水を沸かし後保温温度に維持する温度制御機構を有するマイクロコンピュタによるメイン基板８と、電源供給の差込みプラグ９とからなっている。
【０００７】
１０は飲料抽出装置１の後部上方に設けた電源スイッチで、１１は電源スイッチ１０のＯＮにより点灯する電源用ランプで、１２は湯沸かしタンク４内の保温状態を操作するスイッチボタンで、１３は保温ランプである。１４は抽出されたコーヒー、紅茶等を貯蔵する貯蔵容器である。この電源用ランプ１１は後述の保温ランプ１３が消灯しているとき、電源が入っているのかどうかを解消するために点灯されている。
湯沸かしタンク４は密閉蓋にて、その上面開口を密閉されており、外周下部にヒータ３を張設し、飲料抽出装置１内に吊り下げられている。このヒータ３によって、湯沸かしタンク４内の水は加熱される。
【０００８】
密閉された湯沸かしタンク４の上面にはこの湯沸かしタンク４内底部まで延びた給水パイプ５と、密閉された湯沸かしタンク４内の圧力を下げるための蒸気抜きパイプ（図示せず）と、吐出パイプ７とが設けられている。
この吐出パイプ７の先端はバスケット６上方で湯沸かしタンク４の上面より下方に配置されている。又、この吐出パイプ７の後端は先端の吐出口より上方に設けられている。
【０００９】
吐出パイプ７の吐出口の位置は湯沸かしタンク４の上面より下方にあり、その後端との上下の差は湯沸かしタンク４に吐出口と同水位となる満水位の水を入れ、この水が湯となって体積膨張し、増量する体積の湯沸かしタンク４上部からの高さ以上に設定されている。
湯沸かしタンク４の満水量水位は吐出口が湯沸かしタンク４の上面より下方にあるため、吐出パイプ７のサイホン現象により水が吸収され、湯沸かしタンク４の上面より下方で吸入口の高さ水位で満水となる。
【００１０】
従って、湯沸かしタンク４の上方には空気層を有して定量化される。満水後、ヒータ３で水を加熱し、湯とするが、加熱時に発生する水の体積膨張分の湯は湯沸かしタンク４の容器内上部に空気層を有しているため、空気層部に体積膨張分の湯が充水されるだけで、吐出パイプ７から漏水することがない。
バスケット６は底面に孔の開いた漏斗状に形成されていて、内側に濾紙を敷いた後、コーヒー粉、紅茶葉等を入れる。
【００１１】
このバスケット６は図１に示すように、飲料抽出装置１の前部に着脱自在に装着されており、把手を持って飲料抽出装置１前方よりスライドさせながら、バスケット６が上部中央に吐出パイプ７の吐出口が位置するように挟着、保持している。貯蔵容器１４はバスケット６下部からの抽出液を貯える魔法瓶であってもよく、ガラス製一重びんであってもよい。
【００１２】
メイン基板８はマイクロコンピュータによってヒータ３を制御して、湯沸かしタンク４内の水を沸騰に近い状態まで沸かした後、例えば９５℃等の高温の保温温度に維持する温度制御機構を備えている。
この温度制御機構はマイクロコンピュータによってスイッチボタン１２及び保温ランプ１３と連動しており、湯沸かしタンク内の高温水を高温状態から低温状態に予め設定された時間維持し、その後高温状態に復帰させる低温維持動作手段をこのスイッチボタン１２及び保温ランプ１３にて操作している。
【００１３】
又、この温度制御機構は沸かし後保温温度に維持された湯沸かしタンク内の高温水の保温動作を停止する保温停止手段をもこのスイッチボタン１２及び保温ランプ１３にて操作している。更に、この温度制御機構は保温停止中、又は低温維持動作手段中にかかわらず優先して高温状態に復帰させる高温復帰動作手段をもこのスイッチボタン１２及び保温ランプ１３にて操作している。
【００１４】
この一つのスイッチボタン１２は温度制御機構の低温維持動作手段と高温復帰動作手段とを操作しているが、温度制御機構の保温停止手段をも操作することも問題なく実施できる。
又、この一つの保温ランプ１３は温度制御機構の各手段の進行を点滅、点灯、消灯にて表示している。
【００１５】
抽出液の滴出にあたっては、先ず、湯沸かしタンク４が満水となるように、給水タンク２から水を注いで、吐出パイプ７の吐出口から水が出始めたら、注水を停止し、差込みプラグ９をコンセントに差し込み、電源スイッチ１０をＯＮすると電源用ランプ１１が点灯する。この電源スイッチ１０のＯＮで、温度制御機構が作動し、ヒータ３を制御して、湯沸かしタンク４内の水を沸騰に近い状態まで沸かした後、高温の保温温度に維持する。
【００１６】
この抽出に適した温度になると保温ランプ１３が点灯する。次に、漏斗状のバスケット６内にコーヒー粉、紅茶葉等の原料をセットし飲料抽出装置１の前部上方に差し込んだ後、必要量の水を給水タンク２内に注入すると、注入量だけ熱湯がサイホン現象によって吐出パイプ７の吐出口から滴下し、予め、バスケット６内セットされたコーヒー粉、紅茶葉等の原料が濾紙を介して抽出液となってバスケット６底面より流れでる。
【００１７】
図３はマイクロコンピュタに書き込まれた温度制御機構の保温状態を示すフローチャートで、図４はランプの点灯、消灯状態を示すランプ操作図で、これらに基づいてその動作を説明する。
先ず、温度制御機構の操作によって、保温温度を９５℃に設定すると湯沸かしタンク４内の水が沸騰に近い状態まで沸く間、保温ランプ１３が点滅する。その後９５℃の保温温度となると保温ランプ１３が点灯する。この保温ランプ１３の点灯時、スイッチボタン１２を軽くタッチするように押すと、１２時間タイマーが入る。これにより保温温度が５０℃に設定され、保温ランプ１３が点滅を繰り返し消費電力を抑える。１２時間経過後は自動的に９５℃保温に復帰する。
【００１８】
次に、この低温の保温温度の状態時にスイッチボタン１２を３秒以上押すと、自動的に９５℃の高温の保温状態に復帰する。又、高温の保温状態で保温ランプ１３の点灯時、スイッチボタン１２を３秒以上押すと、保温ランプ１３が消灯して、保温状態が停止し、長時間使用しない時省電力によって効果的となる。更に、この保温ランプ１３の消灯時に、スイッチボタン１２を３秒以上押すと、自動的に９５℃の高温の保温状態に復帰する。
【００１９】
以上本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して、例えば電気ポット、電子ジャー炊飯器、保温庫、保冷庫等に実施することができるものである。
【００２０】
【発明の効果】
以上の説明から既に明らかなように、本発明にいうところの飲料抽出装置は、給水タンクと、ヒータを備えた湯沸かしタンクと、給水タンクと湯沸かしタンクとを連結する給水パイプと、コーヒー粉、紅茶葉等の原料をセットするバスケットと、湯沸かしタンク内の高温水をバスケット上方へ導く吐出パイプと、ヒータを制御して湯沸かしタンク内の水を沸かし後保温温度に維持する温度制御機構とを具備し、湯沸かしタンク内の高温水をバスケット内に導入してバスケット下部よりコーヒー、紅茶等を抽出する飲料抽出装置であって、上記温度制御機構が湯沸かしタンク内の高温水を高温状態から低温状態に予め設定された時間維持し、その後高温状態に復帰させる低温維持動作手段を備え、温度制御機構が沸かし後保温温度に維持された湯沸かしタンク内の高温水の保温動作を停止する保温停止手段を備え、更に保温停止中、又は低温維持動作手段中にかかわらず優先して高温状態に復帰させる高温復帰動作手段を備え、温度制御機構の保温停止手段と低温維持動作手段と高温復帰動作手段とを一つのスイッチボタンにて操作し、低温維持動作手段の点滅による高温状態への進行と、点灯による高温維持状態と、消灯による低温維持状態、並びに高温復帰動作手段とを一つのランプにて表示する構成としたものであるから、短時間経過で再使用するときは、低温の保温状態に一つのスイッチボタンでセットして電力の供給を低く抑え、使用時のみ高温復帰状態とし、長時間経過で再使用するときは、一つのスイッチボタンで高温の保温状態を停止して電力の供給を抑え、消費電力の削減をはかることができる。また、一つのスイッチボタンを軽くタッチするか或いは長く押しておくかで温度制御機構の保温停止手段と低温維持動作手段と高温復帰動作手段とを作動出来るので、各操作手段もシンプルで使い勝手もよく、しかも操作機能も簡単で複雑な操作処理を行うことがないために、誤差や操作不良等を頻繁に起こすことがないと共に、一つのランプにて一つのスイッチボタンによる操作を表示できるので、大幅なコストの低廉をはかることができるという顕著な効果を期待することが出来るに至ったのである。
【図面の簡単な説明】
【図１】図１は本発明実施例の斜視図。
【図２】本発明実施例の縦断面図。
【図３】本発明実施例の保温状態を示すフローチャート。
【図４】本発明実施例のランプの点灯、消灯状態を示すランプ操作図。
【符号の説明】
１…飲料抽出装置
２…給水タンク
３…ヒータ
４…湯沸かしタンク
５…給水パイプ
６…バスケット
７…吐出パイプ
８…メイン基板
９…差込みプラグ
１０…電源スイッチ
１１…電源用ランプ
１２…スイッチボタン
１３…保温ランプ
１４…貯蔵容器
【図１】
0004058186.tif 000002
【図２】
0004058186.tif 000003
【図３】
0004058186.tif 000004
【図４】
0004058186.tif 000005